(57)【要約】      （修正有）【課題】少なくとも、大小の錠剤を、誰でも、簡易に、かつ確実に取出し（押出し）できる錠剤取出し冶具を提供する。【解決手段】大小の錠剤取出し用の第一・第二切欠き孔２、３を備えた錠剤取出し冶具Ａで、第一切欠き孔２の内径寸法＞第二切欠き孔３の内径寸法の関係を備え、可動式の押圧手段６の押圧部１０に、傾斜面１０ａと平坦面１０ｂとを形成し、第一・第二切欠き孔２、３、及び押圧部１０とを利用し、複数の大きさの錠剤を、錠剤シートより取出し可能とする。大小の錠剤を、誰でも、簡易に、かつ確実に取出しできること、押圧部１０が、傾斜面１０ａと平坦面１０ｂとを備えることで、全ての人に、簡易な使用と、錠剤の取出しを提供できる。【選択図】図１
0003198141.tif 000002
【実用新案登録請求の範囲】
【請求項１】
大小の錠剤取出し用の、少なくとも、第一・第二切欠き孔を備えた錠剤取出し冶具において、
この第一切欠き孔の内径寸法＞この第二切欠き孔の内径寸法の関係を備えた構造とするとともに、可動式の押圧手段の可動側に設けた押圧部に、傾斜面と平坦面とを形成し、この、第一・第二切欠き孔、及びこの押圧部とを利用し、複数の大きさの錠剤を、錠剤シートより取出し可能とする構成とした錠剤取出し冶具。
【請求項２】
前記第一切欠き孔を、平面視して、環状形状とし、この第一切欠き孔の環状形状の一部に、前記第二切欠き孔が隣設するとともに、この第二切欠き孔は、平面視して、半月形状とする構成とした請求項１に記載の錠剤取出し冶具。
【請求項３】
前記押圧手段を支持するベースには、前記押圧部の下側への可動で押出された錠剤を受ける袋部を備える構成とした請求項１に記載の錠剤取出し冶具。
【請求項４】
前記押圧手段が復元した時に、前記第一・第二切欠き孔が開口される構成とした請求項１に記載の錠剤取出し冶具。
【請求項５】
前記押圧部は、前記ベースに設けた前記第一切欠き孔の直上に位置する構成とした請求項１に記載の錠剤取出し冶具。
【考案の詳細な説明】
【技術分野】
【０００１】
本考案は、錠剤取出し冶具に関する。
【背景技術】
【０００２】
この種の錠剤取出し冶具に関しては、市井では見かけないが、先行文献として、複数の関連出願が挙げられるので、以下、説明する。
【０００３】
複数の錠剤（寸法が異なる錠剤）に対応可能とした構造として、特開２００２−１０２３１２号公報の発明があり、支持部（天板）に複数の貫通孔を備え、かつ押圧板の可動により、錠剤を押出し可能とする構造である。この発明は、複数の貫通孔、及び／又は、各錠剤に併せて、複数の貫通孔を、それぞれ開設する。従って、器具が大きくなること、取扱いが面倒であること、又は製造に手間を要すること、等の改良点が挙げられる。
また、押圧で錠剤を簡易に取出しできる構造として、特開平３−６８８号公報の発明があり、錠剤密封のシートを支持する受け板、及びシートを受入れるガイド部と、この受け板に可動可能に設けた加圧部に突起を付設し、受け板に開設した取出し孔に対峙する位置に、ガイド部を突設した構造であって、ガイド部の押圧により、シートの取出し孔より受け箱に錠剤を、簡易に取出し可能とする。この発明は、シートを受け部で支持し、かつシートをガイド部に差込む構造であり、安定する半面、差込みと支持操作が厄介であること、又は障害者とか、手が不自由な人等には不便であること、等の改良点がある。
【０００４】
【特許文献１】特開２００２−１０２３１２号公報
【特許文献２】特開平３−６８８号公報
【考案の概要】
【考案が解決しようとする課題】
【０００５】
従来の錠剤取出し冶具は、前述の文献を始めとして、錠剤の取出し所作に関しては、有効性がある。しかしながら、特許文献１の構造では、各種の錠剤を、簡易に、かつ確実に取出すには、経験と注意を要するものであり、障害者等に於いては、使用に不便を感じることが考えられる。また、特許文献２の構造では、不便利であり、改良の余地が考えられる。
その他、錠剤取出し冶具では、他の文献も見当たるが、前述と同じような問題点を抱えている。
【０００６】
上記に鑑み、本考案は、少なくとも、大小の錠剤を、誰でも、簡易に、かつ確実に取出し（押出し）できる錠剤取出し冶具を提供する。また、本考案は、従来のパンチ感覚での取出しができることから、幼児から高齢者を始めとし、全ての人に、簡易な使用と、錠剤の取出しできる錠剤取出し冶具を提供する。
【課題を解決するための手段】
【０００７】
前述の問題点を解消する。具体的には、少なくとも、大小の錠剤を、誰でも、簡易に、かつ確実に取出しできる錠剤取出し冶具の提供と、又は全ての人に、簡易な使用と、錠剤の取出しができる錠剤取出し冶具の提供である。
【考案の効果】
【０００８】
請求項１の考案は、大小の錠剤取出し用の、少なくとも、第一・第二切欠き孔を備えた錠剤取出し冶具において、
第一切欠き孔の内径寸法＞第二切欠き孔の内径寸法の関係を備えた構造とするとともに、可動式の押圧手段の可動側に設けた押圧部に、傾斜面と平坦面とを形成し、第一・第二切欠き孔、及び押圧部とを利用し、複数の大きさの錠剤を、錠剤シートより取出し可能とする錠剤取出し冶具であり、第一・第二切欠き孔を備えることで、例えば、少なくとも、大小の錠剤を、誰でも、簡易に、かつ確実に取出しできる錠剤取出し冶具の提供と、又は押圧部が、傾斜面と平坦面とを備えることで、全ての人に、簡易な使用と、錠剤の取出しができる錠剤取出し冶具の提供と、が図れる特徴がある。また、第一・第二切欠き孔が視認できることから、錠剤の取出し状態の確認と、間違いない取出しとができる実益がある。
【０００９】
請求項２の考案は、第一切欠き孔を、平面視して、環状形状とし、第一切欠き孔の環状形状の一部に、第二切欠き孔が隣設するとともに、第二切欠き孔は、平面視して、半月形状とする構成とした錠剤取出し冶具であり、請求項１の目的を達成できる錠剤取出し冶具の提供と、目的達成に最適な、第一・第二切欠き孔の構造を提案と、を提供できる特徴がある。
【００１０】
請求項３の考案では、押圧手段を支持するベースには、押圧部の下側への可動で押出された錠剤を受ける袋部を備える構成とした錠剤取出し冶具であり、請求項１の目的を達成できる錠剤取出し冶具の提供と、目的達成に最適な、ベースの下に、着脱自在に設けた袋部の構造を提案と、を提供できる特徴がある。
【００１１】
請求項４の考案では、押圧手段が復元した時に、第一・第二切欠き孔が開口される構成とした錠剤取出し冶具であり、請求項１の目的を達成できる錠剤取出し冶具の提供と、目的達成に最適な、押圧手段と第一・第二切欠き孔との位置関係の構造を提案と、を提供できる特徴がある。
【００１２】
請求項５の考案では、押圧部は、ベースに設けた第一切欠き孔の直上に位置する構成とした錠剤取出し冶具であり、請求項１の目的を達成できる錠剤取出し冶具の提供と、目的達成に最適な、押圧部と第一切欠き孔との位置関係の構造を提案と、を提供できる特徴がある。
【図面の簡単な説明】
【００１３】
【図１】錠剤取出し冶具の全体を示した俯瞰図
【図２】錠剤取出し冶具の全体を示した側面図
【図３−１】第一実施例（小さい寸法の錠剤）の平面図
【図３−２】第一実施例の側面図
【図３−３】第一実施例の錠剤の取出し前の過程を示した、図３−１のＡ−Ａ断面図
【図３−４】第一実施例の錠剤の取出し後の過程を示した、図３−１のＡ−Ａ断面図
【図４−１】第一実施例（大きい寸法で丸形の錠剤）の平面図
【図４−２】第一実施例の側面図
【図４−３】第一実施例の錠剤の取出し前の過程を示した、図４−１のＡ−Ａ断面図
【図４−４】第一実施例の錠剤の取出し後の過程を示した、図４−１のＡ−Ａ断面図
【図５−１】第一実施例（大きい寸法でカプセル形の錠剤）の平面図
【図５−２】第一実施例の側面図
【図５−３】第一実施例の錠剤の取出し前の過程を示した、図５−１のＡ−Ａ断面図
【図５−４】第一実施例の錠剤の取出し後の過程を示した、図５−１のＡ−Ａ断面図
【考案を実施するための形態】
【００１４】
錠剤取出し冶具Ａは、大小の錠剤Ｘ、Ｙの落し込み（取出し）用の、少なくとも、第一・第二切欠き孔２、３を、一方端部１ａ（自由端側）に備えた、例えば、板状のベース１と、このベース１に被嵌、又は重畳され、かつベース１の他方端部１ｂに、その他方端部６ｂが枢着５された押圧手段６と、ベース１の一方端部１ａと押圧手段６の他方端側６ｂとの間に設けたスプリング７と、このベース１の一方端側１ａ（自由端側）の下端に着脱自在に設けられる袋部８とを主要な構成とする。尚、ベース１の下側に括れ部１００を形成し、この括れ部１００に指を掛けることで、錠剤取出し冶具を把握し易い利点がある。
【００１５】
前記主要な構成の詳細を説明すると、第一・第二切欠き孔２、３は、ベース１の一方端部１ａの内側に有り、第一切欠き孔２の内径寸法＞第二切欠き孔３の内径寸法の関係を備える構造であり、ベース１の一方端部１ａに第一切欠き孔２を設け、大の錠剤Ｘ用の孔とし、また、第一切欠き孔２に隣接して、他方端部１ｂに向かって切欠き形成した第二切欠き孔３を設け、小の錠剤Ｙ用の孔とした構造である。大の錠剤Ｘ用の孔は、簡略化と小型化等を考慮して、平面視して、環状形状とする。また、小の錠剤Ｙ用の孔は、簡略化と小型化、並びに大の錠剤Ｘ用の孔を利用すること等を考慮して、平面視して、半月形状とする。この目的を達成するための一環として、環状形状と略半月形状とを隣接するとともに、半月形状の小型化（半月形状の面積の節約）を意図し、環状形状（円形面積）に食込む構造であり、所謂、達磨形の孔とする。尚、第二切欠き孔３を、略半月形状より浅い窪み（例えば、略三日月形状の窪み）とすることで、錠剤シートＱの移動を容易とし、複数の錠剤を簡易、かつ瞬時に取出し可能とすることが望ましい。
【００１６】
前記可動式の押圧手段６の可動側（一方端部６ａ）の下側に向かって突出形成した押圧部１０の先端には、傾斜面１０ａと平坦面１０ｂとを形成する。傾斜面１０ａは、大の錠剤Ｘを傾斜状態で取出すことを目的とする。また、平坦面１０ｂは、小の錠剤Ｙを水平状態で取出すことを目的とする。以上のことから、傾斜面１０ａは、第一切欠き孔２の直上に位置し、また、平坦面１０ｂは、第二切欠き孔３の直上に位置した構造である。
【００１７】
前記スプリング７は、押圧手段６の押圧で、逃げて（圧縮も可能）、動きを可能とし、押圧手段６の開放で、復元し、かつ押圧手段６が元の位置に戻る構造である。スプリング７の復帰時に（押圧手段６の元の位置において）第一・第二切欠き孔２、３は、開口されるとともに、押圧部１０の先端とベース１の一方端部１ａとの間には空間Ｈが形成されており、錠剤シートＱの差込ができる。
【００１８】
前記袋部８は、ベース１の一方端部１ａに着脱自在（差込自在）に設けられており、取出した大小の錠剤Ｘ、Ｙを収容する。
【００１９】
本考案のそれぞれの錠剤の取出し方法（使用方法）の好ましい、一例を、以下、それぞれ説明する。
【００２０】
図３−１〜図３−４に示した小の錠剤Ｙ（小さい寸法の錠剤）の取出しでは、図３−１と、図３−３の如く、ベース１の一方端部１ａに設けた顎１０１に錠剤シートＱの膨出部を当接すると、丁度、小の錠剤Ｙが、第二切欠き孔３の直上（押圧部１０の直下）に位置する（取出し前の過程である）とともに、錠剤シートＱが所定位置にセットされる。そこで、押圧手段６でスプリング７を圧縮するようにして押圧すると、押圧部１０の平坦面１０ｂが、図３−２と、図３−４の如く、小の錠剤Ｙを押圧する。この押圧で、小の錠剤Ｙが錠剤シートＱを押し破って、シート外に到った後、袋部８に収容される。この収容された小の錠剤Ｙは、袋部８を、ベース１から外すことで、少なくとも、一錠の小の錠剤Ｙを取り出すことができる（取出し後の過程である）。尚、図示しないが、押圧部１０を複数とし、かつ第一切込み孔２、又はその他の大きな寸法の孔等を利用し、多錠を取出し可能とすることもできる。また、平坦面１０ｂは、市井で流通する小の錠剤Ｙを押圧するに、最適な大きさと形状で有り、本考案では、横断面で、方形状を呈する。
【００２１】
図４−１〜図４−４に示した丸形の大の錠剤Ｘ（大きい寸法の錠剤）の取出しでは、図４−１と、図４−３の如く、ベース１の一方端部１ａに設けた顎１０１に錠剤シートＱの端部を当接すると、丁度、大の錠剤Ｘが、第一切欠き孔２の直上（押圧部１０の直下）に位置する（取出し前の過程である）。そこで、押圧手段６でスプリング７を圧縮するようにして押圧すると、押圧部１０の平坦面１０ｂが、大の錠剤Ｘをその端部から中心に向かって押圧し、かつ大の錠剤Ｘを傾かせる。その後、傾いた大の錠剤Ｘを、方形状でなる傾斜面１０ａで捉える。図４−２と、図４−４の如く、大の錠剤Ｘを押圧する。この押圧で、大の錠剤Ｘが錠剤シートＱを押し破って、傾斜するようにして、シート外に到った後、袋部８に収容される。この収容された大の錠剤Ｘは、袋部８を、ベース１から外すことで、少なくとも、一錠の大の錠剤Ｘを取り出すことができる（取出し後の過程である）。尚、図示しないが、押圧部１０を複数とし、かつ図示の第一切込み孔２より大きな寸法の孔等を利用し、多錠を取出し可能とすることもできる。
【００２２】
また、図５−１〜図５−４に示したカプセル形の大の錠剤Ｘの取出しは、前述の図４−１〜図４−４に示した丸形の大の錠剤Ｘの取出に準ずる。
【００２３】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００２４】
１  ベース
１ａ  一方端部
１ｂ  他方端部
１００  括れ部
１０１  顎
２  第一切欠き孔
３  第二切欠き孔
５  枢着
６  押圧手段
６ａ  一方端部
６ｂ  他方端部
７  スプリング
８  袋部
１０  押圧部
１０ａ  傾斜面
１０ｂ  平坦面
１００  顎
Ａ  錠剤取出し冶具
Ｘ  大の錠剤
Ｙ  小の錠剤
Ｑ  錠剤シート
Ｈ  空間
【図１】
0003198141.tif 000003
【図２】
0003198141.tif 000004
【図３−１】
0003198141.tif 000005
【図３−２】
0003198141.tif 000006
【図３−３】
0003198141.tif 000007
【図３−４】
0003198141.tif 000008
【図４−１】
0003198141.tif 000009
【図４−２】
0003198141.tif 000010
【図４−３】
0003198141.tif 000011
【図４−４】
0003198141.tif 000012
【図５−１】
0003198141.tif 000013
【図５−２】
0003198141.tif 000014
【図５−３】
0003198141.tif 000015
【図５−４】
0003198141.tif 000016
【手続補正書】
【提出日】平成27年4月8日(2015.4.8)
【手続補正１】
【補正対象書類名】実用新案登録請求の範囲
【補正対象項目名】全文
【補正方法】変更
【補正の内容】
【実用新案登録請求の範囲】
【請求項１】
大小の錠剤取出し用の、少なくとも、第一・第二切欠き孔を備えた錠剤取出し冶具において、
この第一切欠き孔の内径寸法＞この第二切欠き孔の内径寸法の関係を備えた構造とするとともに、可動式の押圧手段の可動側に設けた押圧部に、傾斜面と平坦面とを形成し、この、第一・第二切欠き孔、及びこの押圧部とを利用し、複数の大きさの錠剤を、錠剤シートより取出し可能とする構成とした錠剤取出し冶具。
【請求項２】
前記第一切欠き孔を、平面視して、環状形状とし、この第一切欠き孔の環状形状の一部に、前記第二切欠き孔が隣設するとともに、この第二切欠き孔は、平面視して、半月形状とする構成とした請求項１に記載の錠剤取出し冶具。
【請求項３】
前記押圧手段を支持するベースには、前記押圧部の下側への可動で押出された錠剤を受ける袋部を備える構成とした請求項１に記載の錠剤取出し冶具。
【請求項４】
前記押圧手段が復元した時に、前記第一・第二切欠き孔が開口される構成とした請求項１に記載の錠剤取出し冶具。
【請求項５】
前記押圧部は、前記ベースに設けた前記第二切欠き孔の直上に位置する構成とした請求項１に記載の錠剤取出し冶具。